(57)【要約】【課題】切削の加工精度を十分に高めることができるブローチを提供すること。【解決手段】軸状をなすブローチ本体２の外周に配列された複数の切刃３には、被削材の下孔に溝加工を施す複数のスプライン刃８を含むスプライン刃群７と、前記スプライン刃群７とは前記軸線Ｏ方向に沿う異なる位置に配置され、前記下孔に内周加工を施す複数の丸刃１０を含む丸刃群９と、が備えられ、前記丸刃群９における軸線Ｏ方向に隣り合う前記丸刃１０同士の間には、前記ブローチ本体２の外周を前記軸線Ｏ回りの周方向に沿うように延びる刃溝１２が形成され、前記刃溝１２は、前記周方向に向かうに従い漸次前記軸線Ｏ方向に向けて捩れて延びており、前記スプライン刃群７及び前記丸刃群９は、前記ブローチ本体２の外周に一体に形成されていることを特徴とする。【選択図】図１
2014193505.tif 000002
【特許請求の範囲】
【請求項１】
軸状をなすブローチ本体と、
前記ブローチ本体の外周に該ブローチ本体の軸線方向に間隔をあけて配列された複数の切刃と、を備え、
被削材に形成された下孔に前記ブローチ本体を前記軸線方向に沿う工具送り方向に向けて挿入するとともに、前記複数の切刃により前記下孔を溝加工及び内周加工して所定形状に切削加工するブローチであって、
前記複数の切刃には、
前記下孔に溝加工を施す複数のスプライン刃を含むスプライン刃群と、
前記スプライン刃群とは前記軸線方向に沿う異なる位置に配置され、前記下孔に内周加工を施す複数の丸刃を含む丸刃群と、が備えられ、
前記丸刃群における前記軸線方向に隣り合う前記丸刃同士の間には、前記ブローチ本体の外周を前記軸線回りの周方向に沿うように延びる刃溝が形成され、
前記刃溝は、前記周方向に向かうに従い漸次前記軸線方向に向けて捩れて延びており、
前記スプライン刃群及び前記丸刃群は、前記ブローチ本体の外周に一体に形成されていることを特徴とするブローチ。
【請求項２】
請求項１に記載のブローチであって、
前記丸刃群は、前記スプライン刃群よりも前記工具送り方向の後方に配置されることを特徴とするブローチ。
【請求項３】
請求項１又は２に記載のブローチであって、
前記スプライン刃群が、前記丸刃群の前記工具送り方向の前方及び後方にそれぞれ配置されることを特徴とするブローチ。
【請求項４】
請求項１に記載のブローチであって、
前記丸刃群は、前記スプライン刃群よりも前記工具送り方向の前方に配置されることを特徴とするブローチ。
【発明の詳細な説明】
【技術分野】
【０００１】
本発明は、被削材に形成された下孔に、ブローチ本体とともに複数の切刃が順に挿入されて、前記下孔を溝加工及び内周加工して内歯車形状等の所定形状に形成するブローチに関するものである。
【背景技術】
【０００２】
従来、この種のブローチとして、軸状をなすブローチ本体と、前記ブローチ本体の外周に該ブローチ本体の軸線方向に間隔をあけて配列された複数の切刃と、を備え、被削材に形成された下孔に前記ブローチ本体を前記軸線方向に沿う工具送り方向に向けて挿入するとともに、前記複数の切刃により前記下孔を溝加工及び内周加工して内歯車形状等の所定形状に切削加工するものが知られている。
【０００３】
例えば、下記特許文献１に示されるヘリカルブローチは、そのブローチ本体が、軸線方向に隣り合う大径部及び小径部を有する軸状の本体部と、円筒状のシェル部とから構成される組立タイプとなっており、シェル部は、本体部の後方部分に位置する小径部に着脱可能に装着される。これらの本体部とシェル部とが組み立てられた状態で、前記複数の切刃は、本体部における大径部の外周及びシェル部の外周に亘って列をなしている。
【０００４】
また切刃には、被削材の下孔に溝加工を施す複数のスプライン刃を含むスプライン刃群と、前記下孔に内周加工を施す複数の丸刃を含む丸刃群と、が備えられており、後丸刃付きブローチの場合、丸刃群がスプライン刃群よりも工具送り方向の後方のシェル部にまとまって配置されている。
このような後丸刃付きブローチでは、交互丸刃タイプのブローチ（スプライン刃と丸刃とが軸線方向に交互に配置されたもの）に比べて、軸線方向に隣り合う同一種類の切刃同士（スプライン刃同士、或いは丸刃同士）の間隔を小さくすることができ、特に被削材の軸線方向に沿う長さが短い（つまり被削材の厚さが薄い）場合においても、スプライン刃同士又は丸刃同士を複数ずつ同時に下孔に切り込ませることができ、種々の被削材に幅広く対応可能である。
【先行技術文献】
【特許文献】
【０００５】
【特許文献１】特許第３３７７７１３号公報
【発明の概要】
【発明が解決しようとする課題】
【０００６】
しかしながら、前記従来のブローチでは、切削の加工精度をより向上することに改善の余地があった。
すなわち、特許文献１のブローチでは、シェル部をブローチ本体に組み付けるために設けられたクリアランス等の影響により、被削材におけるブローチ本体の切刃による切削箇所に対して、シェル部の切刃による切削箇所に位置ずれ（芯ずれ）が生じて、加工精度を確保することが難しかった。
特に、後丸刃付きブローチの場合には、工具送り方向の後方に連設された丸刃群の加工精度を確保することが難しく、前述した課題が顕著となりやすかった。
【０００７】
その一方、例えば内歯車においては、一般に丸刃群により切削される内周加工部分は、機器の中で実質的に機能しない部位であることから、従来では溝加工精度に比べて内周加工精度への要求は少なく、当業者といえども前記課題を明確に認識してはいなかった。本発明の発明者は、前記課題を明確に認識した上で、溝加工精度を維持しつつ内周加工についても高品位な加工精度を確保し得るべく、本発明に到達したものである。
【０００８】
本発明は、このような事情に鑑みてなされたものであって、切削の加工精度を十分に高めることができるブローチを提供することを目的としている。
【課題を解決するための手段】
【０００９】
このような課題を解決して、前記目的を達成するために、本発明は以下の手段を提案している。
すなわち、本発明は、軸状をなすブローチ本体と、前記ブローチ本体の外周に該ブローチ本体の軸線方向に間隔をあけて配列された複数の切刃と、を備え、被削材に形成された下孔に前記ブローチ本体を前記軸線方向に沿う工具送り方向に向けて挿入するとともに、前記複数の切刃により前記下孔を溝加工及び内周加工して所定形状に切削加工するブローチであって、前記複数の切刃には、前記下孔に溝加工を施す複数のスプライン刃を含むスプライン刃群と、前記スプライン刃群とは前記軸線方向に沿う異なる位置に配置され、前記下孔に内周加工を施す複数の丸刃を含む丸刃群と、が備えられ、前記丸刃群における前記軸線方向に隣り合う前記丸刃同士の間には、前記ブローチ本体の外周を前記軸線回りの周方向に沿うように延びる刃溝が形成され、前記刃溝は、前記周方向に向かうに従い漸次前記軸線方向に向けて捩れて延びており、前記スプライン刃群及び前記丸刃群は、前記ブローチ本体の外周に一体に形成されていることを特徴とする。
【００１０】
本発明のブローチは、丸刃群がスプライン刃群とは軸線方向の異なる位置に配置されているので、被削材として例えば軸線方向に沿う長さが短い（つまり被削材の厚さが薄く、切削長が短い）ものを切削加工する場合であっても、スプライン刃同士又は丸刃同士を複数ずつ同時に下孔に切り込ませることができ、これによりブローチと被削材との径方向の相対位置を安定させることができることから、種々の被削材に対して幅広く対応可能である。
【００１１】
そして、本発明のブローチによれば、丸刃群の刃溝が、周方向に向かうに従い漸次軸線方向に向かって捩れて延びており、これにより丸刃も螺旋状をなしているので、前述のように切削長の短い被削材を切削する場合であっても、被削材の下孔に対して略一定の数（量）の丸刃を常に切り込ませた状態とすることができ、内周加工時の芯ずれを抑制できる。
また、被削材の下孔に対して丸刃が軸線回りに周回するように連続的に切り込まれることから、切り込み時の切削負荷（衝撃）を小さくでき、また切削負荷の変動を抑制することができ、内周加工の加工精度を十分に高めることができる。
【００１２】
具体的に、本発明とは異なり例えば丸刃群の刃溝が周方向に沿って延びる環状をなしている場合（刃溝が捩れていない軸直タイプの場合）には、被削材の下孔に対して切り込まれる丸刃の数が一定にならず、また被削材の下孔に対して丸刃が周方向全体に断続的に切り込まれることから、切削負荷の変動が大きくなり芯ずれも生じやすくなって、内周加工の精度を確保することが難しい。
【００１３】
さらに本発明では、スプライン刃群及び丸刃群が、ともにブローチ本体の外周に一体に形成されているので、被削材においてスプライン刃群又は丸刃群が切削した部位に対して、後続の丸刃群又はスプライン刃群が切削した部位が芯ずれしにくくなって、加工品位が十分に高められることになる。
【００１４】
また、このようにスプライン刃群及び丸刃群が一体に形成されることで、当該ブローチの製造が容易となる。すなわち、ブローチ本体とは別体のシェル部を作製する必要がないことから、部品点数を削減でき、製造工程も削減できる。さらに、例えばスプライン刃群の刃溝、及び丸刃群の刃溝を、ともにオフノルマルタイプとすることで、より製造を容易化することが可能である。
【００１５】
このように、本発明によれば、溝加工のみならず内周加工についても高い加工精度を確保することができ、よって種々様々な製品要望に対応可能である。
尚、前述の説明では、特に切削長が短い被削材を用いた場合について述べたが、切削長が長い被削材の切削加工においても同様の効果が得られることは言うまでもない。
【００１６】
また、本発明のブローチにおいて、前記丸刃群は、前記スプライン刃群よりも前記工具送り方向の後方に配置されることとしてもよい。
【００１７】
このブローチの構成によれば、ブローチ本体の切刃の形成領域における後端部に、丸刃群を配置できる。すなわち、例えば被削材の下孔に内歯車形状を切削加工する際、スプライン刃群が備える外径上がり刃群（下孔に対して歯丈方向（径方向外側）に切り込む第１のスプライン刃群）、及び歯厚上がり刃群（外径上がり刃群の後方に位置して歯厚方向（周方向）に切り込む第２のスプライン刃群）のうち、歯厚上がり刃群の後方に、丸刃群を接近して配置できる。この場合、加工後の内歯車形状における歯面（溝加工部分において周方向を向く面）と、小径（内周加工部分）との同心度を高精度に確保することができる。
【００１８】
また、本発明のブローチにおいて、前記スプライン刃群が、前記丸刃群の前記工具送り方向の前方及び後方にそれぞれ配置されることとしてもよい。
【００１９】
このブローチの構成によれば、例えば被削材の下孔に内歯車形状を切削加工する際、スプライン刃群が備える外径上がり刃群（第１のスプライン刃群）と、歯厚上がり刃群（第２のスプライン刃群）との間に、丸刃群を配置できる。この場合、丸刃群を外径上がり刃群の後方に接近して配置できることから、加工後の内歯車形状における大径（溝加工部分において最も径方向外側に位置する溝底面）と、小径（内周加工部分）との同心度を高精度に確保することができる。
【００２０】
また、本発明のブローチにおいて、前記丸刃群は、前記スプライン刃群よりも前記工具送り方向の前方に配置されることとしてもよい。
【００２１】
このブローチの構成によれば、ブローチ本体の切刃の形成領域における前端部に丸刃群を配置できるので、例えば被削材の下孔に内歯車形状を切削加工する際、スプライン刃の歯溝幅が狭い場合など、ブローチの製造が困難なときに有効である。本発明の前述した構成のように、スプライン刃群よりも丸刃群を前方に配置することで、該丸刃群によって下孔の小径（内周部分）を先に切削し、該下孔の内径を大きくした状態から、後続のスプライン刃群を切り込ませることとすれば、スプライン刃の歯溝幅が広がり、ブローチの製造が簡単となる。
【発明の効果】
【００２２】
本発明のブローチによれば、切削の加工精度を十分に高めることができる。
【図面の簡単な説明】
【００２３】
【図１】本発明の一実施形態に係るブローチを示す側面図である。
【図２】図１のブローチによって加工する被削材の一部を示す断面図である。
【発明を実施するための形態】
【００２４】
以下、本発明の一実施形態に係るブローチ１について、図面を参照して説明する。
本実施形態のブローチ１は、被削材に予め形成された下孔に対して、溝加工及び内周加工をこの順に施して内歯車形状（所定形状）を形成する、後丸刃付きブローチである。具体的に、このブローチ１はヘリカルブローチであり、図２に示されるように、例えば自動変速機用のプラネタリーインターナルギヤ等のヘリカル内歯車Ｐのように内周に捩れ溝Ｇを有する製品となる被削材Ｗをブローチ加工するものである。
【００２５】
図１に示されるように、ブローチ１は、軸状をなすブローチ本体２と、ブローチ本体２の外周に該ブローチ本体２の軸線Ｏ方向に間隔をあけて配列された複数の切刃３と、を備え、被削材Ｗに形成された下孔にブローチ本体２を軸線Ｏ方向に沿う工具送り方向Ｄに向けて挿入するとともに移動させて、複数の切刃３により前記下孔を溝加工及び内周加工して、内歯車形状に切削加工する。
ここで、ブローチ本体２は、その軸線Ｏが被削材Ｗの下孔の中心軸に対して同軸となるように、該下孔内に挿入される。本明細書では、ブローチ本体２の軸線Ｏ方向のうち、被削材Ｗに対してブローチ本体２が送られる向き（図１における左側）を工具送り方向Ｄ（又は工具送り方向Ｄの前方）といい、これとは反対側の向き（図１における右側）を工具送り方向Ｄの後方という。また、軸線Ｏに直交する方向を径方向といい、軸線Ｏ回りに周回する方向を周方向という。
【００２６】
具体的にブローチ本体２は、軸線Ｏを中心とした長尺の軸状をなしており、その両端部は掴み部４、５とされ、これら掴み部４、５の間は切刃部６とされている。そして、この切刃部６におけるブローチ本体２の外周には、径方向の外側に向けて複数の切刃３が突設されている。これら切刃３のうち後述するスプライン刃８は、ブローチ本体２の先端側（図１における左側）から後端側（図１における右側）に向けて軸線Ｏ回りに捩れるリードＬに沿った螺旋状をなすように配列されている。また、これらスプライン刃８の列は、周方向に間隔をあけて複数列形成されている。
【００２７】
複数の切刃３には、被削材Ｗの下孔に溝加工を施す複数のスプライン刃８を含むスプライン刃群７と、スプライン刃群７とは軸線Ｏ方向に沿う異なる位置に配置され、前記下孔に内周加工を施す複数の丸刃１０を含む丸刃群９と、が備えられている。本実施形態のブローチ１は後丸刃付きブローチであり、丸刃群９は、スプライン刃群７よりも工具送り方向Ｄの後方に配置されている。具体的に、図１に示される例では、切刃部６における工具送り方向Ｄの後端部に丸刃群９が配置され、前記後端部以外の部位にスプライン刃群７が配置されている。
【００２８】
そして、スプライン刃群７及び丸刃群９は、ブローチ本体２の外周に一体に形成されている。すなわち本実施形態において、ブローチ本体２にシェル部は組み付けられておらず、複数の切刃３はすべてブローチ本体２の外周に一体に形成されている。
【００２９】
切刃部６のうちスプライン刃群７が配置される部位において、工具送り方向Ｄの前方領域に設けられた複数のスプライン刃８（切刃３）は、ヘリカル内歯車Ｐの歯形を歯丈方向（径方向）に切削する外径上がり刃とされている。これらの外径上がり刃においては、切刃３の歯丈が該切刃３の列に沿って工具送り方向Ｄの後方に向かって順次増大するようにされている。
また、切刃部６のうちスプライン刃群７が配置される領域において、前記外径上がり刃よりも工具送り方向Ｄの後方に設けられた複数のスプライン刃８（切刃３）は、前述のように外径上がり刃によって所定の歯丈に切削された歯形の歯面すなわち被削材Ｗの捩れ溝Ｇの両内側面を、歯厚方向（周方向）に追い込み切削して所定の歯厚に形成する歯厚上がり刃とされている。
つまり、本実施形態のスプライン刃群７には、複数の外径上がり刃からなる外径上がり刃群（第１のスプライン刃群）と、前記外径上がり刃群よりも工具送り方向Ｄの後方に配置され、複数の歯厚上がり刃からなる歯厚上がり刃群（第２のスプライン刃群）と、が含まれる。
【００３０】
また、スプライン刃群７において切刃列をなし軸線Ｏ方向に隣り合うスプライン刃８同士の間には、ブローチ本体２の外周を周方向に沿うように延びる刃溝１１が形成されており、該刃溝１１は周方向に向かうに従い漸次軸線Ｏ方向に向けて捩れて延びている。つまりスプライン刃群７の刃溝１１は、オフノルマルタイプの捩れ刃溝とされている。
【００３１】
また、切刃部６のうち丸刃群９には、軸線Ｏ方向から見て円環形状をなす丸刃１０が、軸線Ｏ方向に間隔をあけて複数形成されている。具体的に、丸刃群９において軸線Ｏ方向に隣り合う丸刃１０同士の間には、ブローチ本体２の外周を周方向に沿うように延びる刃溝１２が形成されており、該刃溝１２は周方向に向かうに従い漸次軸線Ｏ方向に向けて捩れて延びている。つまり丸刃群９の刃溝１２も、オフノルマルタイプの捩れ刃溝とされている。
【００３２】
このような構成により複数の丸刃１０は、ブローチ本体２の外周上を捩れつつ延設された一条の螺旋状リブのごとく一体的に形成されており、刃溝１２も同様に一条の螺旋状溝のごとく一体的に形成されている。
尚、図１に示される例では、スプライン刃群７における刃溝１１の捩れ角と、丸刃群９における刃溝１２の捩れ角とが互いに同等となるように設定されている。
【００３３】
以上説明した本実施形態のブローチ１では、被削材Ｗの下孔にブローチ本体２が挿入され、工具送り方向Ｄに送られることで、図２において、前記下孔に対して、スプライン刃群７が捩れ溝Ｇの溝加工（内歯車形状の歯部の加工）を施した後、続いて丸刃群９が最も小径とされた内周面Ｓを内周加工（内歯車形状の小径部の加工）するようになっている。
【００３４】
本実施形態のブローチ１は、丸刃群９がスプライン刃群７とは軸線Ｏ方向の異なる位置に配置されているので、被削材Ｗとして例えば軸線Ｏ方向に沿う長さが短い（つまり被削材の厚さが薄く、切削長が短い）ものを切削加工する場合であっても、スプライン刃８同士又は丸刃１０同士を複数ずつ同時に下孔に切り込ませることができ、これによりブローチ１と被削材Ｗとの径方向の相対位置を安定させることができることから、種々の被削材Ｗに対して幅広く対応可能である。
【００３５】
そして、本実施形態のブローチ１によれば、丸刃群９の刃溝１２が、周方向に向かうに従い漸次軸線Ｏ方向に向かって捩れて延びており、これにより丸刃１０も螺旋状をなしているので、前述のように切削長の短い被削材Ｗを切削する場合であっても、被削材Ｗの下孔に対して略一定の数（量）の丸刃１０を常に切り込ませた状態とすることができ、内周面Ｓの加工（内周加工）時における芯ずれを抑制できる。
また、被削材Ｗの下孔に対して丸刃１０が軸線Ｏ回りに周回するように連続的に切り込まれることから、切り込み時の切削負荷（衝撃）を小さくでき、また切削負荷の変動を抑制することができ、内周加工の加工精度を十分に高めることができる。
【００３６】
具体的に、本実施形態とは異なり例えば丸刃群の刃溝が周方向に沿って延びる環状をなしている場合（刃溝が捩れていない軸直タイプの場合）には、被削材の下孔に対して切り込まれる丸刃の数が一定にならず、また被削材の下孔に対して丸刃が周方向全体に断続的に切り込まれることから、切削負荷の変動が大きくなり芯ずれも生じやすくなって、内周加工の精度を確保することが難しい。
【００３７】
さらに本実施形態では、スプライン刃群７及び丸刃群９が、ともにブローチ本体２の外周に一体に形成されているので、被削材Ｗにおいてスプライン刃群７が切削した部位に対して、丸刃群９が切削した部位が芯ずれしにくくなって、加工品位が十分に高められることになる。
【００３８】
また、このようにスプライン刃群７及び丸刃群９が一体に形成されることで、当該ブローチ１の製造が容易となる。すなわち、ブローチ本体２とは別体のシェル部を作製する必要がないことから、部品点数を削減でき、製造工程も削減できる。さらに、本実施形態で説明したように、スプライン刃群７の刃溝１１、及び丸刃群９の刃溝１２を、ともにオフノルマルタイプとすることで、より製造を容易化することが可能である。
【００３９】
このように、本実施形態によれば、捩れ溝Ｇの加工（溝加工）のみならず内周面Ｓの加工（内周加工）についても高い加工精度を確保することができ、よって種々様々な製品要望に対応可能である。
尚、前述の説明では、特に切削長が短い被削材Ｗを用いた場合について述べたが、切削長が長い被削材Ｗの切削加工においても同様の効果が得られることは言うまでもない。
【００４０】
また、本実施形態のブローチ１は、丸刃群９がスプライン刃群７よりも工具送り方向Ｄの後方に配置されており、具体的には、ブローチ本体２の切刃３の形成領域（切刃部６）における後端部に丸刃群９が配置された後丸刃付きブローチである。従って、本実施形態のように、被削材Ｗの下孔に内歯車形状を切削加工する際、スプライン刃群７が備える外径上がり刃群（下孔に対して歯丈方向（径方向外側）に切り込む第１のスプライン刃群）、及び歯厚上がり刃群（外径上がり刃群の後方に位置して歯厚方向（周方向）に切り込む第２のスプライン刃群）のうち、歯厚上がり刃群の後方に、丸刃群９を接近して配置できる。これにより、加工後の内歯車形状における歯面（溝加工部分（捩れ溝Ｇ）において周方向を向く面）と、小径（内周加工部分（内周面Ｓ））との同心度を高精度に確保することができる。
【００４１】
尚、本発明は前述の実施形態に限定されるものではなく、本発明の趣旨を逸脱しない範囲において種々の変更を加えることが可能である。
【００４２】
例えば、前述の実施形態では、丸刃群９が、スプライン刃群７よりも工具送り方向Ｄの後方に配置されていると説明したが、これに限定されるものではない。
すなわち、スプライン刃群７は、丸刃群９の工具送り方向Ｄの前方及び後方にそれぞれ配置されていてもよい。つまり、ブローチ１は、中間丸刃付きブローチであってもよい。
この構成によれば、例えば被削材Ｗの下孔に内歯車形状を切削加工する際、スプライン刃群７が備える外径上がり刃群（第１のスプライン刃群）と、歯厚上がり刃群（第２のスプライン刃群）との間に、丸刃群９を配置できる。この場合、丸刃群９を外径上がり刃群の後方に接近して配置できることから、加工後の内歯車形状における大径（溝加工部分（捩れ溝Ｇ）において最も径方向外側に位置する溝底面）と、小径（内周加工部分（内周面Ｓ））との同心度を高精度に確保することができる。
【００４３】
また、丸刃群９は、スプライン刃群７よりも工具送り方向Ｄの前方に配置されていてもよい。つまり、ブローチ１は、前丸刃付きブローチであってもよい。
この構成によれば、ブローチ本体２の切刃３の形成領域（切刃部６）における前端部に丸刃群９を配置できるので、例えば被削材Ｗの下孔に内歯車形状を切削加工する際、スプライン刃８の歯溝幅が狭い場合など、ブローチ１の製造が困難なときに有効である。前述した構成のようにスプライン刃群７よりも丸刃群９を前方に配置することで、該丸刃群９によって下孔の小径（内周部分（内周面Ｓ））を先に切削し、該下孔の内径を大きくした状態から、後続のスプライン刃群７を切り込ませることとすれば、スプライン刃８の歯溝幅が広がり、ブローチ１の製造が簡単となる。
【００４４】
また、スプライン刃群７のスプライン刃８には、外径上がり刃と歯厚上がり刃とが設けられているとしたが、これに限定されるものではない。すなわち、複数のスプライン刃８は、工具送り方向Ｄの前方から後方へ向かうに従い順次その径方向外側へ向けた突出量及び周方向の幅が大きくなるように構成されていてもよい。
【００４５】
また、スプライン刃群７の刃溝１１の捩れ角と、丸刃群９の刃溝１２の捩れ角とが互いに同等とされているとしたが、これに限定されるものではなく、スプライン刃群７の刃溝１１の捩れ角と、丸刃群９の刃溝１２の捩れ角とが、互いに異なって設定されていてもよい。
【００４６】
また、ブローチ本体２において、掴み部４と切刃部６との間に前部案内が設けられ、掴み部５と切刃部６との間に後部案内が設けられていてもよい。
尚、前部案内は、被削材Ｗに最初に切り込まれる、工具送り方向Ｄの最も前方に位置する切刃３（スプライン刃８）を、下孔に対して径方向に精度よく位置決めし案内する目的で設けられる。また、後部案内は、被削材Ｗに最後に切り込まれる、工具送り方向Ｄの最も後方に位置する切刃３（丸刃１０）が切削を終えるまで、ブローチ本体２と被削材Ｗとを径方向に位置決めする目的で設けられる。
【００４７】
また、前述の実施形態では、ブローチ１が被削材Ｗの下孔を切削加工してヘリカル内歯車Ｐを作製することとしたが、これに限定されるものではない。すなわち、ブローチ１は、被削材Ｗの下孔を溝加工及び内周加工して所定形状に切削加工するものであればよく、前述したヘリカル内歯車Ｐ以外の、例えばセレーション形状やキー溝形状に切削加工するものであっても構わない。
【００４８】
その他、本発明の趣旨から逸脱しない範囲において、前述の実施形態、変形例及び尚書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【符号の説明】
【００４９】
１  ブローチ
２  ブローチ本体
３  切刃
７  スプライン刃群
８  スプライン刃
９  丸刃群
１０  丸刃
１２  刃溝
Ｄ  工具送り方向
Ｏ  ブローチ本体の軸線
Ｗ  被削材
【図１】
2014193505.tif 000003
【図２】
2014193505.tif 000004